(57)【要約】【課題】既存のリモート制御対象測定器自体を改造または、購入し直すことなくネットワークを介して測定器のリモート操作を行えるようにする。【解決手段】ネットワーク１に接続されたリモート操作補助装置２０と、測定器３０とネットワークに接続された操作端末１０とで構成され、操作端末１０が、汎用ブラウザプログラムによりネットワーク１を介してリモート操作補助装置２０と接続を行い、測定器３０のビデオ出力映像を確認しながら測定器３０の操作を行い測定データ採取または波形観測、設定変更を行う。【選択図】図１
2006295903.tif 000002
【特許請求の範囲】
【請求項１】
ネットワークに接続され記録部、処理部および通信インタフェース、遠隔操作インタフェースおよびビデオ入力部を備えたリモート操作補助装置と、遠隔操作通信機能、表示部およびその表示部に表示する映像信号のアナログビデオ出力手段を備えた測定器と、前記ネットワークに接続され表示部を備えた操作端末とを有し、前記操作端末によって、汎用ブラウザプログラムにより前記ネットワークを介して前記リモート操作補助装置と接続を行い、前記測定器のビデオ出力映像を確認しながら前記測定器の操作を行い、測定データ採取または波形観測、設定変更を行うリモート測定システム。
【請求項２】
前記遠隔操作インタフェースとしてＧＰＩＢインタフェースを用いたもので、前記リモート操作補助装置が、ＧＰＩＢアドレス、設定変更画面情報、ユーザデータベース、測定器データベース、操作コマンドボタン情報、ＧＰＩＢコードおよび測定器状態データを記録する記録部と、認証手段、設定変更手段、操作コマンド選択指示手段、ＧＰＩＢコード送信手段、コード受信手段、コード保存手段、映像送信手段、ビデオ信号処理手段を有する処理部と、通信インタフェースと、ＧＰＩＢインタフェースと、ビデオ信号入力部を有する請求項１記載のリモート測定システム。
【発明の詳細な説明】
【技術分野】
【０００１】
本発明は、ネットワークを介して測定器をリモート操作し測定器のビデオ出力の映像を確認しながら測定器を操作するリモート測定システムに関するものである。
【背景技術】
【０００２】
従来の技術についてまず、ＧＰＩＢ（Ｇｅｎｅｒａｌ  Ｐｕｒｐｏｓｅ  Ｉｎｔｅｒｆａｃｅ  Ｂｕｓ）通信機能を備えたスペクトラムアナライザを測定器の一例として図６を参照して構成と動作について説明する。
【０００３】
図６に示すように、ＧＰＩＢ通信機能を搭載したスペクトラムアナライザ１４０は、ミキサ１４１と、ローカル発振器１４２と、ＩＦフィルタ１４３と、検波器１４４と、ＡＤ変換器１４５と、ＣＰＵ１４６と、表示器であるＣＲＴ１４７と、操作キー１４８と、ＧＰＩＢインタフェース１４９で構成されている。
【０００４】
入力の高周波信号は、ミキサ１４１でローカル発振器１４２の発振周波数と混合して和又は差の周波数を出力する。ミキサ１４１の出力信号は、ＩＦフィルタ１４３で和又は差の信号を所定の分解能帯域幅（ＲＢＷ）で選択して、さらに検波器１４４で検波する。
【０００５】
検波器１４４で検波した信号は、Ａ／Ｄ変換器１４５でデジタル信号に変換する。デジタル信号に変換した信号は、ＣＰＵ１４６で演算して表示部に周波数のスペクトラムとして表示する。
【０００６】
また、ＣＰＵ１４６は、ＧＰＩＢインタフェース１４９と操作キー１４８の入力データとソフトウェアとで制御され、ローカル発振器の掃引周波数とＣＲＴ１４７の表示の縦軸と横軸とを制御している。また、ビデオ出力部１５０は、ＣＲＴに表示する画像をアナログビデオ信号として出力する。
【０００７】
従来このＧＰＩＢ通信機能を用いて遠隔操作するには、図７に示すように、リモートディスクトップ機能等の端末遠隔操作プログラムを搭載した操作端末２６０とネットワーク２０１とリモートディスクトップ機能等の端末遠隔操作プログラムと測定器２４０を制御するためのＧＰＩＢコ−ドとＧＰＩＢコードを格納し送受信するための測定器操作プログラムとＧＰＩＢインタフェースを搭載したパソコン等の制御端末２５０とで構成されている。（特許文献１参照）
操作端末２６０は、ネットワーク２０１を介してリモートディスクトップ機能等の端末遠隔操作プログラムにより制御端末２５０と接続を行い制御端末２５０に搭載された測定器操作プログラムを遠隔操作することにより測定、設定変更などのリモート操作を行っていた。
【特許文献１】特開平２−１５２３４９号公報（第２頁、図１など）
【発明の開示】
【発明が解決しようとする課題】
【０００８】
このような従来の方法では、測定器２４０の遠隔操作を行うためには、測定器２４０にＧＰＩＢインタフェースを備えたパソコン等の制御端末２５０を設置し測定器をリモート操作するためのプログラムを制御端末２５０に格納する必要がある。
【０００９】
また、操作端末２６０と制御端末２５０の両者には、リモートディスクトップ接続機能等を搭載したＯＳ（基本ソフトウェア）または、端末を遠隔操作するためのプログラムを格納する必要がある。
【００１０】
さらに、波形に応じて測定器の設定の変更を行いながら動的な波形観測を行うのは非常に困難であった。
【００１１】
本発明は、上記課題を解決するものであり、既存のリモート制御対象測定器自体を改造または、購入し直すことなくネットワークを介して測定器のリモート操作を行えるようにするものである。
【課題を解決するための手段】
【００１２】
上記目的を達成するために、本発明はネットワークに接続され記録部、処理部および通信インタフェース、遠隔操作インタフェースおよびビデオ入力部を備えたリモート操作補助装置と、遠隔操作通信機能、表示部およびその表示部に表示する映像信号のアナログビデオ出力手段を備えた測定器と、前記ネットワークに接続され表示部を備えた操作端末とを有し、前記操作端末によって、汎用ブラウザプログラムにより前記ネットワークを介して前記リモート操作補助装置と接続を行い、前記測定器のビデオ出力映像を確認しながら前記測定器の操作を行い、測定データ採取または波形観測、設定変更を行うものである。
【発明の効果】
【００１３】
本発明によれば操作端末はリモートディスクトップ機能等の端末遠隔操作プログラムの搭載を行うことなく、汎用パソコン等の端末に搭載されている汎用ブラウザプログラムにより遠隔地に設置された測定器のビデオ出力の映像を動的に確認しながら測定器の操作キーを操作端末の表示部に再現した操作コマンドボタン情報を操作選択し指示することにより、測定したい信号の種類や特徴に応じて測定器の設定を変更しながら動的な波形観測や解析や測定をリアルタイムに行うことができる。
【発明を実施するための最良の形態】
【００１４】
上記目的を達成するために、本発明はネットワークに接続され記録部、処理部および通信インタフェース、遠隔操作インタフェースおよびビデオ入力部を備えたリモート操作補助装置と、遠隔操作通信機能、表示部およびその表示部に表示する映像信号のアナログビデオ出力手段を備えた測定器と、前記ネットワークに接続され表示部を備えた操作端末とを有し、前記操作端末によって、汎用ブラウザプログラムにより前記ネットワークを介して前記リモート操作補助装置と接続を行い、前記測定器のビデオ出力映像を確認しながら前記測定器の操作を行い、測定データ採取または波形観測、設定変更を行うものである。
【００１５】
この構成によれば操作端末はリモートディスクトップ機能等の端末遠隔操作プログラムの搭載を行うことなく、汎用パソコン等の端末に搭載されている汎用ブラウザプログラムにより遠隔地に設置された測定器のビデオ出力の映像を動的に確認しながら測定器の操作キーを操作端末の表示部に再現した操作コマンドボタン情報を操作選択し指示することにより、測定したい信号の種類や特徴に応じて測定器の設定を変更しながら動的な波形観測や解析や測定をリアルタイムに行うことができる。
【００１６】
また、この構成によればリモート操作補助装置をインターネットに接続することにより、測定者は汎用ブラウザ搭載の操作端末を用いて、インターネットに接続できればどこからでも遠隔地に設置された測定器の操作が可能になる。
【００１７】
また、この構成によれば、高額な設備の投資をすることなく、ＣＡＴＶ局舎設備や放送局等設備等の無線設備などの無人化を促進することができ、例えば中央監視センターや自宅かなどから複数の遠隔地の対象局舎の設備の信号のレベル測定または波形観測を行うことができる。
【実施例】
【００１８】
以下、図面に基づいて本発明の一実施例におけるリモート測定システムについて説明する。
【００１９】
図１は、本発明を適用したリモート測定システムを示すものでありネットワーク１に接続されたリモート操作補助装置２０と、遠隔操作通信機能の一例であるＧＰＩＢ通信機能と表示部と表示部に表示する映像信号をアナログビデオ出力することのできる測定器３０とネットワークに接続され表示部を備えた操作端末１０とで構成される。
【００２０】
なお、遠隔操作通信機能を実現する手段としては、ＲＳ２３２Ｃ通信機能など同様の効果を得ることができる手段であれば他のものでもよい。
【００２１】
ネットワーク１は、操作端末１０とリモート操作補助装置２０との通信経路であり、そのプロトコルはＴＣＰ／ＩＰに（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）に準拠するものでありＬＡＮまたはインターネットのどちらでもよい。
【００２２】
操作端末１０は、汎用ブラウザプログラムを格納し有線または無線によりネットワークに接続された汎用ＰＣなどの端末である。
【００２３】
汎用ブラウザプログラムは、ソフトウェアで提供されるプラグイン等を組み込ませることにより、汎用ブラウザプログラム内において動画再生ソフト等のアプリケーションを起動させ、映像の表示が可能となる。
【００２４】
各測定器３０は、スペクトラムアナライザの場合、図２に示すようにミキサ４１、ローカル発振器４２、ＩＦフィルタ４３、検波器４４、ＡＤ変換器４５、ＣＰＵ４６、表示器であるＣＲＴ４７、操作キー４８および遠隔操作インタフェースの一例であるＧＰＩＢインタフェース４９とで構成している。
【００２５】
入力の高周波信号は、ミキサ４１でローカル発振器４２の発振周波数と混合して和又は差の周波数を出力する。
【００２６】
そして、ミキサ４１の出力信号は、ＩＦフィルタ４３で和又は差の信号を所定の分解能帯域幅（ＲＢＷ）で選択して、さらに検波器４４で検波する。検波器４４で検波した信号は、ＡＤ変換器４５でデジタル信号に変換され、デジタル信号に変換した信号は、ＣＰＵ４６で演算して表示部に周波数のスペクトラムとして表示する。
【００２７】
また、ＣＰＵ４６は、ＧＰＩＢインタフェース４９と操作キー４８の入力データとソフトウェアとで制御され、ローカル発振器の掃引周波数とＣＲＴ４７の表示の縦軸と横軸とを制御している。また、ビデオ出力部１００は、ＣＲＴに表示する映像をアナログビデオ信号として出力する。
【００２８】
ＧＰＩＢインタフェース４９はＩＥＥＥ（ｔｈｅ  Ｉｎｓｔｉｔｕｔｅ  ｏｆ  Ｅｌｅｃｔｒｉｃａｌ  ａｎｄ  Ｅｌｅｃｔｒｏｎｉｃ  Ｅｎｇｉｎｅｅｒｓ）規格４８８の計測バスＧＰＩＢ（Ｇｅｎｅｒａｌ  Ｐｕｒｐｏｓｅ  Ｉｎｔｅｒｆａｃｅ  Ｂｕｓ）によるリモート操作をおこなうためのインタフェースである。コードには、ＡＳＣＩＩコードまたは、バイナリコードを使用する。また、ビデオ出力１００は、測定器のＣＲＴ等の表示部の映像をアナログビデオ信号として出力する。
【００２９】
次にリモート操作補助装置２０の構成を図３に示す。リモート操作補助装置２０は、ＧＰＩＢアドレス２１ａ、設定変更画面情報２１ｂ、ユーザデータベース２１ｃ、測定器データベース２１ｄ、操作コマンドボタン情報２１ｅ、ＧＰＩＢコード２１ｆおよび測定器状態データ２１ｇを記録する記録部２１と、認証手段２１ａ、設定変更手段２２ｂ、操作コマンド選択指示手段２２ｃ、ＧＰＩＢコード送信手段２２ｄ、コード受信手段２２ｅ、コード保存手段２２ｆ、映像送信手段２２ｇおよびビデオ信号処理２２ｈを有する処理部２２と、通信インタフェース２３と、ＧＰＩＢインタフェース２４と、ビデオ信号入力部２５を有する。
【００３０】
なお、通信インタフェース２３はＴＣＰ／ＩＰに準拠し、ＧＰＩＢインタフェース２４はＩＥＥＥ（ｔｈｅ  Ｉｎｓｔｉｔｕｔｅ  ｏｆ  Ｅｌｅｃｔｒｉｃａｌ  ａｎｄ  Ｅｌｅｃｔｒｏｎｉｃ  Ｅｎｇｉｎｅｅｒｓ）規格４８８に準拠する。さらに、ビデオ信号入力部２５は、ビデオケーブル等により測定器３０のビデオ出力部１００と接続されアナログビデオ信号を入力する。
【００３１】
また、記憶部２１に含まれるＧＰＩＢアドレス２１ａはＩＥＥＥ規格４８８に準拠した通信を行うための情報であり、設定変更画面２１ｂは、ＧＰＩＢアドレスを変更または設定するための設定変更画面の情報である。
【００３２】
ユーザデータベース２１ｃには、このリモート操作補助装置にアクセスする権限を有するものに対してあらかじめ付与されたユーザＩＤとパスワードが登録されている。
【００３３】
測定器データベース２１ｄには、測定器３０の、型式、設置場所、シリアル番号、ＧＰＩＢアドレス等の属性情報を登録している。
【００３４】
操作コマンドボタン情報２１ｅは、接続されている測定器３０に搭載されている操作キーを操作端末１０の表示部に操作コマンドボタン情報として表示させるための情報であり操作端末１０は、その操作により操作コマンドの選択を可能する。
【００３５】
ＧＰＩＢコード２１ｆは、接続されている操作コマンドボタン情報２１ｅに対応した測定器の型式ごとのＧＰＩＢコードを格納する。
【００３６】
そして、測定器状態データ２１ｇは、接続されているに測定器の状態が記録される。これは、ＧＰＩＢコード送信手段２２ｄにより送信されたＧＰＩＢコードに測定器３０の状態を報告させるためのトーカ・リクエストコードが含まれる場合、測定器３０により返信されたコードを格納する領域である。
【００３７】
また、処理部２２に含まれる認証手段２２ａは、操作端末１０に対する認証処理を行うためのものであり、汎用ブラウザプログラム上のＵＲＬ指定により接続要求のあった操作端末１０にユーザＩＤ及びパスワードの入力を指示し、端末１０から送られてきたユーザＩＤとパスワードがユーザデータベース２１ｃの内容と一致しているか否かを判定する。
【００３８】
設定変更手段２２ｂは、操作端末１０より、ネットワーク1を介してＧＰＩＢアドレス
２１ａの設定変更要求があった場合、操作端末１０へ記録部２１に格納されている設定変更画面２１ｂの情報を送信し、これを受信した操作端末１０は、表示部に設定変更画面２１ｂを表示し操作者は、設定変更画面のパラメータ入力部にパラメータを入力しリモート操作補助装置２０に情報を送信することにより、リモート操作補助装置２０の記録部２１に格納されたＧＰＩＢアドレス２１ａの変更を行う。
【００３９】
操作コマンド選択指示手段２２ｃは、接続されている測定器の操作コマンドボタン情報２１ｅを操作端末１０の表示部に表示させて、操作コマンドを可能にする。選択された操作コマンドの情報はリモート操作補助装置２０へ送信される。
【００４０】
ＧＰＩＢコード送信手段２２ｄは、操作コマンド選択指示手段２２ｃにより選択され送信された操作コマンドに対して、記録部２１に格納されたＧＰＩＢコード２１ｆ、測定器状態２１ｇにアクセスを行い操作コマンドに対応したＧＰＩＢコードを選択して通信インタフェース２３よりネットワーク１を介してＧＰＩＢコードを測定器３０へ送信する。
【００４１】
コード受信手段２２ｅは、通信インタフェースを介してコードを受信する。また、コード保存手段２２ｆは、コード受信手段２２ｅにより受信したコードが測定器３０の状態を示すものである場合、その情報を測定器状態データ２１ｇへ記録する。
【００４２】
映像送信手段２２ｇは、ネットワーク１を介して接続された操作端末１０に対してビデオ信号処理手段２２ｈにより生成された測定器３０のアナログビデオ出力信号の映像情報を通信インタフェース２３とネットワーク１を介して操作端末１０へ送信する。
【００４３】
ビデオ信号処理手段２２ｈは、ビデオ信号入力部２５より入力されたビデオ信号を離散化してビデオキャプチャ処理を行いアナログビデオ信号の映像情報を生成する。
【００４４】
次に、このリモート測定システムの動作について図４を参照に説明する。
【００４５】
操作端末１０は汎用ブラウザプログラムの起動を行いブラウザプログラム上のＵＲＬを指定することによりネットワークを介してリモート操作補助装置２０へアクセスを行う（ステップ６１）。
【００４６】
リモート操作補助装置２０は、アクセス元の操作端末１０に対してユーザＩＤパスワードを入力させるための認証画面の情報を送信する（ステップ６２）。
【００４７】
この認証画面が表示された操作端末１０の操作によりＩＤとパスワードが入力されると（ステップ６３、ステップ６４）、リモート操作補助装置２０は、入力されたＩＤとパスワードがユーザデータベース２１ｃに登録されているか否かを調べ（ステップ６５）、登録されていれば測定器データベース２１ｂに登録されている測定器属性情報とビデオ信号処理２２ｈにより生成した測定器３０のビデオ出力映像情報と操作コマンドボタン情報２１ｅとを操作端末１０へ送信する。映像配信手段は、周知のストリーミング手段や、Ｍｏｔｉｏｎ  ＪＰＥＧ等による映像配信手段でよい（ステップ６８）。
【００４８】
操作端末１０の表示部には、例えば図５に示すような操作コマンドボタン５１と測定器ビデオ出力表示部５２と測定器属性情報５３からなる測定器操作画面５０が表示される（ステップ６６、ステップ６７）。測定器属性情報５３には、測定器３０の型式、設置場所、シリアル番号等の属性情報が表示され、測定器ビデオ出力表示部５２は、測定器のビデオ出力映像を表示される。また、操作コマンドボタン５１は、あらかじめ対象測定器本体の操作キーの配列やコマンドなどを再現した構成としてもよく、他の手段として、リモート測定を行うのに必要なコマンドや必要な設定をプリセット化したボタンを操作端末１０の表示画面に表示させてもよい。
【００４９】
操作端末１０は、操作コマンドボタン情報を操作して選択することにより、リモート操作補助装置２０に対して操作コマンドの情報を送信する（ステップ７０）。
【００５０】
（ステップ７０）により送信された操作コマンド情報を受信したリモート操作補助装置２０は、記録部２１に格納されたＧＰＩＢコード２１ｆ、測定器状態データ２１ｇにアクセスを行い操作コマンドに対応したＧＰＩＢコードを選択して測定器３０へＧＰＩＢコードを送信する。なお、（ステップ７０）の操作コマンドの情報としてあらかじめＧＰＩＢコードを格納しておき、制御に必要なＧＰＩＢコードを抽出して測定器に送信してもよい。（ステップ７１）。
【００５１】
（ステップ７１）により送信されたＧＰＩＢコードを受信した測定器３０はＧＰＩＢコードに応じた操作を行う（ステップ７２）。また、ＧＰＩＢコードに測定器状態やリモート操作を報告させるためのトーカ・リクエストコードが含まれる場合、測定器３０は、トーカリクエストに応じたコードをリモート操作補助装置２０へ送信する（ステップ７３）。
【００５２】
（ステップ７３）により送信されたコードを受信したリモート操作補助装置２０は、測定器の状態やリモート操作の結果を記録部２１の測定器状態データ２１ｇへ記録する（７４）。
【００５３】
また、操作端末１０により表示されている測定器のビデオ出力信号の映像は、連続的に表示され、測定器ビデオ出力映像表示部５２により測定器３０に表示されているＣＲＴ４７等の表示部の画像を確認しながら測定器３０のコマンド操作が行えるため手動操作感覚の操作が可能となる。
【００５４】
なお、上記実施例は、ＧＰＩＢインタフェースを用いた場合にて説明したが、遠隔操作インタフェースとして他の手段、例えばＲＳ２３２Ｃインタフェースなどを用いてもよい。
【００５５】
すなわち、ＲＳ２３２Ｃインタフェースなどのインタフェースを備える測定器においても、ＡＳＣＩＩコード及びバイナリデータによる制御が可能であれば、リモート操作補助装置の測定器に対応したインタフェースを備え、操作コマンドや制御情報を対応させることでリモート測定が可能となる。
【産業上の利用可能性】
【００５６】
本発明は、ＣＡＴＶ伝送路に不定期に発生する妨害波の波形を確認しながら測定器の設定を妨害波に適した設定に変更し観測を行うことに利用することができる。
【図面の簡単な説明】
【００５７】
【図１】本発明の一実施例におけるリモート測定システムの構成図
【図２】同測定器の構成図
【図３】同リモート操作補助装置の構成図
【図４】同動作説明図
【図５】同操作端末の表示部の正面図
【図６】従来のリモート測定システムを構成する測定器の構成図
【図７】同リモート測定システムの構成図
【符号の説明】
【００５８】
１    ネットワーク
１０    操作端末
２０    リモート操作補助装置
２１    記録部
２１ａ    ＧＰＩＢアドレス
２１ｂ    設定変更画面情報
２１ｃ    ユーザデータベース
２１ｄ    測定器データベース
２１ｅ    操作コマンドボタン情報
２１ｆ    ＧＰＩＢコード
２１ｇ    測定器状態データ
２２    処理部
２２ａ    認証手段
２２ｂ    設定変更手段
２２ｃ    操作コマンド選択指示手段
２２ｄ    ＧＰＩＢコード送信手段
２２ｅ    コード受信手段
２２ｆ    コード保存手段
２２ｇ    映像送信手段
２２ｈ    ビデオ信号処理手段
２３    通信インタフェース
２４    ＧＰＩＢインタフェース
２５    ビデオ信号入力部
【図１】
2006295903.tif 000003
【図２】
2006295903.tif 000004
【図３】
2006295903.tif 000005
【図４】
2006295903.tif 000006
【図５】
2006295903.tif 000007
【図６】
2006295903.tif 000008
【図７】
2006295903.tif 000009